(57)【特許請求の範囲】
【請求項１】
分離線にて２つに分離した場合に、所定の色に着色された着色領域を視認させることによって真贋判定を可能とする偽造防止シートであって、
前記分離線がそれぞれ形成され、互いに貼着された２枚のシートからなり、
前記分離線は、カット部とタイ部とからなり、前記２枚のシートが互いに貼着された状態において重なり合うように前記２枚のシートにそれぞれ形成され、
前記着色領域は、前記２枚のシートの互いの貼着面の少なくとも一方のうち、該２枚のシートのタイ部が互いに対向する領域でかつ、当該シートの外周部を除く領域に設けられている偽造防止シート。
【請求項２】
請求項１に記載の偽造防止シートにおいて、
前記着色領域は、前記分離線が延びる方向に、所定のコードを表現する幅及び間隔を有して複数設けられている偽造防止シート。
【請求項３】
請求項１に記載の偽造防止シートにおいて、
前記着色領域は、前記分離線が延びる方向に複数設けられ、該複数の着色領域は互いに異なる色を有する偽造防止シート。
【発明の詳細な説明】
【技術分野】
【０００１】
本発明は、偽造防止シートに関し、特に、使用時に分離線にて２つに分離されることを利用して真贋判定を可能とする技術に関する。
【背景技術】
【０００２】
従来より、プリペイドカードや各種入場チケット、商品券や株券等の有価証券においては、広く流通しており比較的容易に換金可能である等の理由から、偽造犯罪が頻発している。特に、近年では、カラーコピー機、スキャナー、カラープリンタ等の電子機器を利用した複写や読み取り、複製等の性能向上と普及に伴い、簡単には真正品と見分けられない偽造品が比較的容易に製造可能になってきており、偽造に対する対策が求められている。
【０００３】
上述したようなプリペイドカードや各種入場チケット、商品券や株券等の有価証券のうち、入場チケットにおいては、２つに分離可能とするミシン目等の分離線が設けられており、使用時にこの分離線にて２つに分離されるものが多い。そこで、このように２つに分離されることを利用して真贋判定を可能とするチケットが特許文献１に開示されている。この特許文献１に開示されたチケットは、２枚の白紙層間にこの白紙層と同一形状の着色紙層を挟み込んでこれらを互いに貼着しておき、このチケットを２枚の白紙層のそれぞれに形成されたハーフカットによって２つに分離した際、着色紙層が白紙層の分離に伴って破断し、分離端面に着色紙層を表出させて真贋判定を可能とするものである。
【先行技術文献】
【特許文献】
【０００４】
【特許文献１】特開２００１−１６２９７８号公報
【発明の概要】
【発明が解決しようとする課題】
【０００５】
しかしながら、特許文献１に開示されたチケットにおいては、真贋判定を可能とするために２枚の白紙層間に挟み込まれた着色紙層が白紙層と同一形状を有するものであるため、チケットが２つに分離される前の状態においてもその端面側から視認した場合、２枚の白紙層間に着色紙層が挟み込まれていることが認識されてしまい、そのような構成のチケットが偽造されてしまう虞れがある。また、チケットが２つに分離される前の状態においてチケットを撓ませた場合においても、ハーフカットが広がって着色紙層が視認されてしまい、同様の問題が生じてしまう。
【０００６】
本発明は、上述したような従来の技術が有する問題点に鑑みてなされたものであって、分離線にて２つに分離した場合に着色領域を視認させることによって真贋判定を可能とする偽造防止シートにおいて、分離線にて分離可能としながらも分離線にて分離する前の状態においては着色領域が視認されることがない偽造防止シートを提供することを目的とする。
【課題を解決するための手段】
【０００７】
上記目的を達成するために本発明は、
分離線にて２つに分離した場合に、所定の色に着色された着色領域を視認させることによって真贋判定を可能とする偽造防止シートであって、
前記分離線がそれぞれ形成され、互いに貼着された２枚のシートからなり、
前記分離線は、カット部とタイ部とからなり、前記２枚のシートが互いに貼着された状態において重なり合うように前記２枚のシートにそれぞれ形成され、
前記着色領域は、前記２枚のシートの互いの貼着面の少なくとも一方のうち、該２枚のシートのタイ部が互いに対向する領域でかつ、当該シートの外周部を除く領域に設けられている。
【０００８】
上記のように構成された本発明においては、分離線にて２つに分離した場合に、その分離端面において、２枚のシートの互いの貼着面の少なくとも一方に設けられた着色領域による色が視認され、この着色領域による色を確認することによって真贋判定が可能となるが、着色領域はシートの外周部を除く領域に設けられているため、分離線にて分離する前の状態において偽造防止シートの端面側から視認した場合であっても着色領域が認識されることはない。また、分離線がカット部とタイ部とからなるものであって、着色領域は２枚のシートのタイ部が互いに対向する領域に設けられているので、分離線にて分離可能としながらも、分離線にて分離する前の状態において分離線のカット部から着色領域が認識されることはない。
【０００９】
また、着色領域を、分離線が延びる方向に、所定のコードを表現する幅及び間隔を有して複数設ければ、複数の着色領域によって表現されるコードを読み取ることによっても、偽造防止シートの真贋判定を行うことができる。
【００１０】
また、着色領域を、分離線が延びる方向に複数設け、複数の着色領域を互いに異なる色を有するものとすれば、複数の着色領域の色の配列順序によっても、偽造防止シートの真贋判定を行うことができる。
【発明の効果】
【００１１】
以上説明したように本発明においては、互いに貼着された２枚のシートに、カット部とタイ部とからなる分離線が、２枚のシートが互いに貼着された状態において重なり合うようにそれぞれ形成され、この分離線にて偽造防止シートを２つに分離した場合にその分離端面において視認させるための着色領域が、２枚のシートの互いの貼着面の少なくとも一方のうち、２枚のシートのタイ部が互いに対向する領域でかつ、シートの外周部を除く領域に設けられている構成としたため、分離線にて分離する前の状態において偽造防止シートの端面側から視認した場合であっても着色領域は認識されず、また、分離線にて分離する前の状態において分離線のカット部から着色領域は認識されず、それにより、分離線にて分離可能としながらも分離線にて分離する前の状態においては着色領域が視認されることがない。
【００１２】
また、着色領域が、分離線が延びる方向に、所定のコードを表現する幅及び間隔を有して複数設けられているものにおいては、複数の着色領域によって表現されるコードを読み取ることによっても、偽造防止シートの真贋判定を行うことができる。
【００１３】
また、着色領域が、分離線が延びる方向に複数設けられ、複数の着色領域が互いに異なる色を有するものにおいては、複数の着色領域の色の配列順序によっても、偽造防止シートの真贋判定を行うことができる。
【図面の簡単な説明】
【００１４】
【図１】本発明の偽造防止シートの実施の一形態を示す図であり、（ａ）は表面から見た図、（ｂ）は裏面から見た図、（ｃ）は（ａ）に示したＡ―Ａ’断面図、（ｄ）は裏面側のシートの表面側のシートとの貼着面の構成を示す図、（ｅ）は（ａ）に示したＢ―Ｂ’断面図である。
【図２】図１に示した偽造防止シートの使用方法及び作用について説明するための図であり、（ａ）は偽造防止シートを２つに分離する前の状態を示す外観斜視図、（ｂ）はミシン目が破断していく状態を示す外観斜視図、（ｃ）は偽造防止シートが２つに分離した場合の分離端面を示す図である。
【図３】図１に示した偽造防止シートを本体片ともぎり片とに分離する前の状態において撓ませた場合の作用を説明するための図であり、（ａ）は偽造防止シートを撓ませた状態を示す外観斜視図、（ｂ）は（ａ）に示したＡ部拡大図である。
【図４】本発明の偽造防止シートの他の実施の形態を示す図であり、（ａ）は表面から見た図、（ｂ）は裏面から見た図、（ｃ）は（ａ）に示したＡ―Ａ’断面図、（ｄ）は裏面側のシートの表面側のシートとの貼着面の構成を示す図、（ｅ）は（ａ）に示したＢ―Ｂ’断面図である。
【発明を実施するための形態】
【００１５】
以下に、本発明の実施の形態について図面を参照して説明する。
【００１６】
図１は、本発明の偽造防止シートの実施の一形態を示す図であり、（ａ）は表面から見た図、（ｂ）は裏面から見た図、（ｃ）は（ａ）に示したＡ―Ａ’断面図、（ｄ）はシート１０ｂのシート１０ａとの貼着面の構成を示す図、（ｅ）は（ａ）に示したＢ―Ｂ’断面図である。
【００１７】
本形態は図１に示すように、同一形状を有する２枚のシート１０ａ，１０ｂが粘着剤２０によって互いに貼着されて構成されている。
【００１８】
２枚のシート１０ａ，１０ｂのうち一方のシート１０ａは、その表面にサーマルプリンタによって情報が印字可能な感熱紙等からなり、本体片１３ａともぎり片１４ａとが分離線となるミシン目１１ａを介して分離可能に連接している。そして、その表面には、サーマルプリンタ等によってチケット情報等が印字されている。また、ミシン目１１ａは、カット部１５ａとタイ部１６ａとが交互に並んで構成されている。
【００１９】
また、２枚のシート１０ａ，１０ｂのうち他方のシート１０ｂは、不透明度の高いコート紙等からなり、本体片１３ｂともぎり片１４ｂとが分離線となるミシン目１１ｂを介して分離可能に連接している。なお、ミシン目１１ｂは、カット部１５ｂとタイ部１６ｂとが交互に並んで構成されている。また、シート１０ａとの貼着面のうち、タイ部１６ｂとなる領域は、例えば赤色で着色されることにより着色領域１２が設けられている。なお、着色領域１２による色は、シート１０ａ，１０ｂの色と異なるものであれば赤色に限らない。
【００２０】
シート１０ａに形成されたミシン目１１ａと、シート１０ｂに形成されたミシン目１１ｂとは、ミシン目１１ａ，１１ｂが延びる方向についてカット部１５ａ，１５ｂとタイ部１６ａ，１６ｂのそれぞれが、同一の幅及び同一のピッチで形成されており、それにより、２枚のシート１０ａ，１０ｂが貼着された状態においては、ミシン目１１ａのカット部１５ａとミシン目１１ｂのカット部１５ｂとが重なり合うとともに、ミシン目１１ａのタイ部１６ａとミシン目１１ｂのタイ部１６ｂとが重なり合っている。これにより、シート１０ｂに設けられた着色領域１２は、シート１０ｂのシート１０ａとの貼着面のうち、２枚のシート１０ａ，１０ｂのタイ部１６ａ，１６ｂが互いに対向する領域に設けられていることになる。そして、着色領域１２は、シート１０ｂのタイ部１６ｂとなる領域に設けられていることにより、シート１０ｂの外周部を除く領域に設けられていることになる。
【００２１】
なお、シート１０ａの厚さは、その表面側から着色領域１２の色が透けない程度の１００μｍ〜１２０μｍが好ましい。
【００２２】
以下に、上記のように構成された偽造防止シート１の使用方法及び作用について説明する。
【００２３】
図２は、図１に示した偽造防止シート１の使用方法及び作用について説明するための図であり、（ａ）は偽造防止シート１を２つに分離する前の状態を示す外観斜視図、（ｂ）はミシン目１１ａ，１１ｂが破断していく状態を示す外観斜視図、（ｃ）は偽造防止シート１が２つに分離した場合の分離端面を示す図である。
【００２４】
図１に示した偽造防止シート１を使用する場合は、本体片１３ａ，１３ｂともぎり片１４ａ，１４ｂとを分離することになる。
【００２５】
図１に示した偽造防止シート１を、本体片１３ａ，１３ｂともぎり片１４ａ，１４ｂとに分離する前の状態においては、着色領域１２が、シート１０ｂのタイ部１６ｂとなる領域、すなわち、シート１０ｂの外周部を除く領域に設けられているため、図２（ａ）に示すように、偽造防止シート１の端面側から視認した場合であっても着色領域１２は認識されない。
【００２６】
そして、図２（ａ）に示すような状態から本体片１３ａ，１３ｂともぎり片１４ａ，１４ｂとを分離しようとすると、２枚のシート１０ａ，１０ｂのそれぞれに形成されたミシン目１１ａ，１１ｂが互いに重なり合っているため、本体片１３ａ，１３ｂともぎり片１４ａ，１４ｂとを分離しようとする力は２つのミシン目１１ａ，１１ｂに作用し、それにより、図２（ｂ）に示すように、２枚のシート１０ａ，１０ｂが互いに貼着された状態でミシン目１１ａ，１１ｂが破断していき、２枚のシート１０ａ，１０ｂがそれぞれ、ミシン目１１ａ，１１ｂによって本体片１３ａ，１３ｂともぎり片１４ａ，１４ｂとに分離することになる。
【００２７】
２枚のシート１０ａ，１０ｂがそれぞれ、ミシン目１１ａ，１１ｂによって本体片１３ａ，１３ｂともぎり片１４ａ，１４ｂとに分離すると、シート１０ｂのタイ部１６ｂとなる領域に着色領域１２が設けられていることにより、図２（ｃ）に示すように、本体片１３ａ，１３ｂともぎり片１４ａ，１４ｂのそれぞれの分離端面において着色領域１２が表出し、着色領域１２による赤色が視認されることになる。
【００２８】
このように、図１に示した偽造防止シート１を本体片１３ａ，１３ｂともぎり片１４ａ，１４ｂとに分離すると、本体片１３ａ，１３ｂともぎり片１４ａ，１４ｂのそれぞれの分離端面において着色領域１２が表出し、着色領域１２による赤色が視認されることになり、この着色領域１２による赤色を確認することにより、偽造防止シート１の真贋判定が可能となる。
【００２９】
次に、図１に示した偽造防止シート１を本体片１３ａ，１３ｂともぎり片１４ａ，１４ｂとに分離する前の状態において撓ませた場合の作用について説明する。
【００３０】
図３は、図１に示した偽造防止シート１を本体片１３ａ，１３ｂともぎり片１４ａ，１４ｂとに分離する前の状態において撓ませた場合の作用を説明するための図であり、（ａ）は偽造防止シート１を撓ませた状態を示す外観斜視図、（ｂ）は（ａ）に示したＡ部拡大図である。
【００３１】
本形態における偽造防止シート１を、図３（ａ）に示すようにミシン目１１ａが形成された部分が突出する頂点となるようにシート１０ａを外側として撓ませた場合、図３（ｂ）に示すように、ミシン目１１ａのカット部１５ａが広がり、カット部１５ａ内において、２枚のシート１０ａ，１０ｂの積層状態が視認可能となる。
【００３２】
ところが、本形態における偽造防止シート１は、シート１０ｂのタイ部１６ｂとなる領域に着色領域１２が設けられており、カット部１５ｂとなる領域には着色領域１２が設けられていないため、図３（ｂ）に示すように、カット部１５ａ内では着色領域１２は視認されない。また、偽造防止シート１をミシン目１１ｂが形成された部分が突出する頂点となるようにシート１０ｂを外側として撓ませた場合においても、同様に、カット部１５ｂ内において２枚のシート１０ａ，１０ｂの積層状態が視認可能となるものの、カット部１５ｂ内では着色領域１２は視認されない。
【００３３】
そのため、図１に示した偽造防止シート１を本体片１３ａ，１３ｂともぎり片１４ａ，１４ｂとに分離する前の状態において撓ませた場合であっても、シート１０ａに形成されたミシン目１１ａのカット部１５ａや、シート１０ｂに形成されたミシン目１１ｂのカット部１５ｂの内部にて着色領域１２が視認されることはない。
【００３４】
このように、図１に示した偽造防止シート１を本体片１３ａ，１３ｂともぎり片１４ａ，１４ｂとに分離する前の状態においては、偽造防止シート１の端面側から視認した場合であっても、また、偽造防止シート１を撓ませた場合であっても、着色領域１２は認識されず、それにより、偽造防止シート１に着色領域１２が設けられていることが認識されず、このような構成の偽造チケットが製造されてしまうことを回避することができる。
【００３５】
なお、本形態においては、ミシン目１１ａのカット部１５ａとミシン目１１ｂのカット部１５ｂとが重なり合うとともに、ミシン目１１ａのタイ部１６ａとミシン目１１ｂのタイ部１６ｂとが重なり合っているが、ミシン目１１ａのタイ部１６ａとミシン目１１ｂのタイ部１６ｂとが少なくともその一部にて重なり合い、その領域に着色領域１２が設けられていればよい。
【００３６】
（他の実施の形態）
図４は、本発明の偽造防止シートの他の実施の形態を示す図であり、（ａ）は表面から見た図、（ｂ）は裏面から見た図、（ｃ）は（ａ）に示したＡ―Ａ’断面図、（ｄ）はシート１１０ｂのシート１１０ａとの貼着面の構成を示す図、（ｅ）は（ａ）に示したＢ―Ｂ’断面図である。
【００３７】
本形態の偽造防止シートは図４に示すように、図１に示したものに対して、着色領域１１２が、シート１１０ｂに形成されたミシン目１１１ｂのタイ部１１６ｂに１つずつ設けられているのではなく、タイ部１１６ｂとなる領域において、ミシン目１１１ｂが延びる方向に、所定のコードを表現する幅及び間隔で複数設けられている点が異なるものである。
【００３８】
上記のように構成された偽造防止シート１０１は、本体片１１３ａ，１１３ｂともぎり片１１４ａ，１１４ｂとに分離した後、その分離端面に表出した着色領域１１２によって表現されるコードを読み取り、そのコードが予め決められたものであるかどうかを判定することによっても、偽造防止シート１０１の真贋判定を行うことができる。
【００３９】
なお、上述した偽造防止シート１，１０１においては、互いに貼着された２枚のシート１０ａ，１０ｂ，１１０ａ，１１０ｂのうち、一方のシート１０ｂ，１１０ｂのみに着色領域１２，１１２が設けられているが、互いに貼着された２枚のシート１０ａ，１０ｂ，１１０ａ，１１０ｂのそれぞれにおいて、互いの貼着面のうち、タイ部１６ａ，１６ｂ，１１６ａ，１１６ｂとなる領域に着色領域をそれぞれ設けてもよい。
【００４０】
また、上述した偽造防止シート１，１０１において、着色領域１２，１１２毎に色を異ならせることも考えられる。その場合、その異なる色の配列順序によっても、偽造防止シート１，１０１の真贋判定を行うことができる。
【００４１】
また、シート１０ｂ，１１０ｂの着色領域１２，１１２となる領域に微細な穴を形成しておき、この微細な穴上に印刷を施すことによって着色領域１２，１１２を設ければ、印刷によるインクが微細な穴に浸透し、本体片１３ａ，１３ｂ，１１３ａ，１１３ｂともぎり片１４ａ，１４ｂ，１１４ａ，１１４ｂとを分離した際、その分離端面に表出する着色領域１２，１１２の面積がシート１０ｂ，１１０ｂの厚さ方向に広がり、それにより、着色領域１２，１１２による色を認識しやすくすることができる。
【符号の説明】
【００４２】
１，１０１    偽造防止シート
１０ａ，１０ｂ，１１０ａ，１１０ｂ    シート
１１ａ，１１ｂ，１１１ａ，１１１ｂ    ミシン目
１２，１１２    着色領域
１３ａ，１３ｂ，１１３ａ，１１３ｂ    本体片
１４ａ，１４ｂ，１１４ａ，１１４ｂ    もぎり片
１５ａ，１５ｂ，１１５ａ，１１５ｂ    カット部
１６ａ，１６ｂ，１１６ａ，１１６ｂ    タイ部
２０，１２０    粘着剤
【図１】
0005383393.tif 000002
【図２】
0005383393.tif 000003
【図３】
0005383393.tif 000004
【図４】
0005383393.tif 000005